(57)【要約】  【課題】液体還元剤用タンクの給水性、メンテナンス性及び保温性を向上させる。  【解決手段】上部旋回体２に上面開口部を有する工具箱１５が配設され、且つ、液体還元剤を貯留した液体還元剤用タンク１１が搭載された建設機械において、前記液体還元剤用タンク１１を合成樹脂により形成すると共に、該液体還元剤用タンク１１を前記工具箱１５内に設置した。【選択図】図３
2011012661.tif 000002
【特許請求の範囲】
【請求項１】
液体還元剤を貯留した液体還元剤用タンクが搭載された建設機械において、前記液体還元剤用タンクを合成樹脂により形成し、且つ、該液体還元剤用タンクを上部旋回体の外側部に配設された工具箱内に設置したことを特徴とする建設機械。
【請求項２】
上記工具箱は上面開口部を有し、該上面開口部をカバー体により開閉可能に施蓋したことを特徴とする請求項１記載の建設機械。
【発明の詳細な説明】
【技術分野】
【０００１】
本発明は建設機械に関するものであり、特に、液体還元剤を貯留した液体還元剤用タンクが搭載された建設機械に関するものである。
【背景技術】
【０００２】
近年、ディーゼルエンジンを搭載した油圧ショベル等の建設機械では、高次の排ガス規制に対応すべく、ディーゼルエンジンの排気系に排ガス処理装置が設置され、ディーゼルエンジンからの排ガスは、排気管の下流側に設けたＮＯｘ還元触媒を通って大気中に放出される。
【０００３】
従来、此種排ガス処理装置としては、尿素水溶液（液体還元剤）を用いた尿素選択還元型のＮＯｘ処理装置が多く採択され、尿素水溶液は金属製の液体還元剤用タンクに貯留されている。又、液体還元剤用タンクは液体還元剤供給パイプにより排気管に接続され、液体還元剤供給ポンプにより液体還元剤用タンク内の尿素水溶液を前記排気管に供給できるように構成されている（例えば、特許文献１参照）。
【先行技術文献】
【特許文献】
【０００４】
【特許文献１】特開２００３−２０９３６号公報
【発明の概要】
【発明が解決しようとする課題】
【０００５】
上記液体還元剤用タンクは、上部旋回体の内側の狭隘な場所に設置されているので、液体還元剤用タンクに尿素水溶液を補給する際、或いは、液体還元剤用タンクのメンテナンス作業を行う際に、不自然は姿勢を余儀なくされるために、液体還元剤用タンクの給水性及びメンテナンス性が良くないという問題があった。
【０００６】
又、金属製の液体還元剤用タンク内の尿素水溶液は、氷点下以下の低温になると凍結し易くなり、凍結した場合には尿素水溶液を液体還元剤として使用できなくなる。
【０００７】
前記液体還元剤用タンク内の尿素水溶液の凍結を防止するには、例えば、液体還元剤用タンクを電気ヒーターで加熱して保温性を高めればよいが、このように構成すると、構造が複雑で設備コストが高騰するとともに、電気エネルギの消費量が増大する。
【０００８】
そこで、構成が簡単で液体還元剤用タンクの給水性、メンテナンス性及び保温性を向上させるために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、液体還元剤を貯留した液体還元剤用タンクが搭載された建設機械において、前記液体還元剤用タンクを合成樹脂により形成し、且つ、該液体還元剤用タンクを上部旋回体の外側部に配設された工具箱内に設置したことを特徴とする建設機械を提供する。
【００１０】
この構成によれば、液体還元剤用タンクは、上部旋回体の外側部に配設された工具箱内に設置されている。依って、還元剤用タンクに液体還元剤を補給する際、或いは、液体還
元剤用タンクのメンテナンスを行う際は上部旋回体の外側よりスムーズに作業を行える。又、液体還元剤用タンクを合成樹脂により形成したので、金属製のものに比べて液体還元剤用タンクの保温性が向上する。
【００１１】
請求項２記載の発明は、上記工具箱は上面開口部を有し、該上面開口部をカバー体により開閉可能に施蓋したことを特徴とする請求項１記載の建設機械を提供する。
【００１２】
この構成によれば、液体還元剤用タンクが設置された工具箱は上面開口部を有するので、液体還元剤用タンクに液体還元剤を補給する際は、工具箱の上面開口部より補給される。又、工具箱の上面開口部はカバー体により施蓋されるので、液体還元剤用タンクの保温性が良好に保持される。
【発明の効果】
【００１３】
請求項１記載の発明は、還元剤用タンクに液体還元剤を補給する際、或いは、液体還元剤用タンクのメンテナンスを行う際は、上部旋回体の外側より容易に作業を実行できるので、前記液体還元剤の補給性及びメンテナンス性を向上させることができる。
【００１４】
又、液体還元剤用タンクを合成樹脂により形成したことにより、構成がシンプルでありながら液体還元剤用タンクの保温性が向上して、液体還元剤の凍結防止効果に寄与することができる。
【００１５】
請求項２記載の発明は、液体還元剤用タンクは、開閉可能なカバー体付き上面開口部を有する工具箱内に設置したので、請求項１記載の発明の効果に加えて、液体還元剤用タンクの保温性を維持しつつ液体還元剤用タンクへの液体還元剤の補給を一層容易迅速に行うことができる。
【図面の簡単な説明】
【００１６】
【図１】本発明の一実施例を示し、油圧ショベル（建設機械）の側面図。
【図２】一実施例に係る油圧ショベルの上部旋回体を示す平面図。
【図３】一実施例に係る液体還元剤用タンクの設置箇所を説明する斜視図。
【発明を実施するための形態】
【００１７】
本発明は、液体還元剤用タンクの給水性、メンテナンス性及び保温性を向上させるという目的を達成するために、上部旋回体に上面開口部を有する工具箱が配設され、且つ、液体還元剤を貯留した液体還元剤用タンクが搭載された建設機械において、前記液体還元剤用タンクを合成樹脂により形成すると共に、該液体還元剤用タンクを前記工具箱内に設置したことにより達成した。
【実施例１】
【００１８】
以下、本発明の好適な実施例を図１乃至図３に従って説明する。図１は建設機械の一例として油圧ショベルを示す。同図に示すように、下部走行体１上には上部旋回体２が旋回可能に装架され、上部旋回体２の前方一側部にキャブ３が設けられている。また、上部旋回体２の前方中央部にブーム４が俯仰可能に枢着され、該ブーム４の先端部にはアーム５が上下回動可能に連結されているとともに、該アーム５の先端部にバケット６が上下回動可能に取り付けられている。
【００１９】
図２に示すように、上部旋回体２の後部にはエンジンルーム７が形成され、該エンジンルーム７内にはディーゼルエンジン８が設置されている。又、ディーゼルエンジン８の前方側（図２における手前側）には冷却ファン１２が設けられているとともに、該冷却ファン１２の前方には熱交換機１３が設置されている。
【００２０】
更に、ディーゼルエンジン８には排気管９が接続され、該排気管９の下流側には、高次の排ガス規制に対応すべく、排ガス処理装置１０が設置されている。本実施例に係る排ガス処理装置１０としては、尿素水溶液（液体還元剤）を用いた尿素選択還元型のＮＯｘ処理装置が採択されている。
【００２１】
図３に示すように、前記上部旋回体２の旋回フレーム１４上には工具箱１５が配設されている。本実施例に係る工具箱１５は、上部旋回体２の前方他側部（図２の左上側部）に配設されている。又、工具箱１５は上面開口部１７を有し、該上面開口部１７はカバー体１８により開閉可能に施蓋されている。尚、符号１６はエンジンフードである。
【００２２】
工具箱１５内には液体還元剤用タンク１１が設置され、該液体還元剤用タンク１１内には尿素水溶液が貯留されている。また、液体還元剤用タンク１１は所定厚さの合成樹脂、例えば、所要の断熱性を有するポリエチレン樹脂等により構成されている。
【００２３】
更に、液体還元剤用タンク１１の上面略中央部には給水口（図示せず）が開穿されていると共に、該給水口にはキャップ２０が被着されている。又、液体還元剤用タンク１１は液体還元剤供給パイプ（図示せず）を介して、前記排ガス処理装置１０に接続されている。
【００２４】
叙上の如く本発明によると、液体還元剤用タンク１１は、上部旋回体２の外側部に配設したカバー体１８付きの工具箱１５内に設置されている。依って、液体還元剤用タンク１１の給水口から尿素水溶液を補給する際は、工具箱１５のカバー体１８を開放させることにより、工具箱１５の上面開口部１７より直接補給できる。斯くして、作業者は、液体還元剤用タンク１１への尿素水溶液の補給を上部旋回体２の外側から容易迅速に行うことができる。
【００２５】
又、液体還元剤用タンク１１のメンテナンスを行う際も、前記と同様に、上部旋回体２の外側から楽な姿勢で容易迅速に行うことができるので、液体還元剤用タンク１１のメンテナンス性が大幅に向上する。
【００２６】
更に、液体還元剤用タンク１１は、断熱効果を有する所定厚さの合成樹脂により形成されているので、構成が簡単でありながら液体還元剤用タンクの保温性が向上する。従って、工具箱１５の上面開口部をカバー体１８で施蓋して、工具箱１５の中を密閉空間にできることと相俟って、尿素水溶液の凍結防止効果に寄与することができる。この場合、工具箱１５を合成樹脂により形成したときは、尿素水溶液の凍結防止効果が更に向上する。
【００２７】
更に又、合成樹脂製の液体還元剤用タンク１１は工具箱１５のサイズに見合った形状寸法に簡単に製造でき、液体還元剤用タンク１１のレイアウトの自由度が高くなるメリットを有する。
【００２８】
なお、本発明は、本発明の精神を逸脱しない限り種々の改変を為すことができ、そして、本発明が該改変されたものに及ぶことは当然である。
【産業上の利用可能性】
【００２９】
本発明は、液体還元剤用タンクを搭載した建設機械であれば、液体還元剤用タンク内に尿素水溶液以外の液体還元剤を貯留したものにも適用可能である。
【符号の説明】
【００３０】
２    上部旋回体
７    エンジンルーム
８    ディーゼルエンジン
１０  排ガス処理装置
１１  液体還元剤用タンク
１４  旋回フレーム
１５  工具箱
１８  カバー体
【図１】
2011012661.tif 000003
【図２】
2011012661.tif 000004
【図３】
2011012661.tif 000005